(57)【要約】【課題】スライドファスナーの部分に布団の側生地が突出しにくく、スライドファスナーが締め易い布団カバーを提供する。【解決手段】上生地２と下生地で構成され、内部に布団７を収納する布団カバー１であって、上生地２の両端部４ａ，４ｂより内側に入った部分の長さ方向に各々スライドファスナー３ａ，３ｂが設けられており、布団カバー１の長さ方向の両端部は袋状に閉じられており、布団７はいずれか一方のスライドファスナー３ａ，３ｂの開放部から収納又は取り出しが可能である。各々のスライドファスナー３ａ，３ｂは、布団カバー１の両端部４ａ，４ｂより３５〜１１０ｍｍ内側に入った部分に設けられているのが好ましい。【選択図】図１
2019083851.tif 000002
【特許請求の範囲】
【請求項１】
上生地と下生地で構成され、内部に布団を収納する布団カバーであって、
前記上生地の両端部より内側に入った部分の長さ方向に各々スライドファスナーが設けられており、
前記布団カバーの幅方向は袋状に閉じられており、
前記布団は、いずれか一方のスライドファスナーの開放部から収納又は取り出しが可能であることを特徴とする布団カバー。
【請求項２】
前記各々のスライドファスナーは、布団カバーの両端部より３５〜１１０ｍｍ内側に入った部分に設けられている請求項１に記載の布団カバー。
【請求項３】
前記スライドファスナーと前記両端部の角との間は、内部に挿入する布団のストッパー部が形成されている請求項１又は２に記載の布団カバー。
【請求項４】
前記布団カバーの内部には布団を固定するための固定手段を含む請求項１〜３のいずれかに記載の布団カバー。
【請求項５】
前記布団カバーは、掛け布団用である請求項１〜４のいずれかに記載の布団カバー。
【発明の詳細な説明】
【技術分野】
【０００１】
本発明は、上生地と下生地で構成され、長さ方向にスライドファスナーを含み、内部に布団を収納するための布団カバーに関する。
【背景技術】
【０００２】
布団カバーは布団の汚れを防ぎ、洗濯も容易であることから、布団は布団カバーを付けて使用するのが通常である。このため布団カバーは布団に取り付けやすく、また取り外しやすいことが求められる。従来から様々な布団カバーが提案されており、特許文献１〜４には布団カバーの長さ方向の両端部に各々スライドファスナーを設けることが提案されている。特許文献５〜６には上生地の両端部より内側と、足元部の幅方向に各々スライドファスナーを設け、上生地をＵ字形に開閉する布団カバーが提案されている。
【先行技術文献】
【特許文献】
【０００３】
【特許文献１】特開平９−３１３３２４号公報
【特許文献２】特開平９−２６６８３９号公報
【特許文献３】実用新案登録第３１３５２８０号公報
【特許文献４】実用新案登録第３０１３４８２号公報
【特許文献５】特開平９−９４１４７号公報
【特許文献６】実公平５−４０７８１号公報
【発明の概要】
【発明が解決しようとする課題】
【０００４】
しかし、前記従来例は、いずれかの辺にスライドファスナーがあるため、この部分に布団の側生地が突出するとスライドファスナーが締めにくい問題があった。
【０００５】
本発明は、上記問題を解決するため、スライドファスナーの部分に布団の側生地が突出しにくく、スライドファスナーが締め易い布団カバーを提供する。
【課題を解決するための手段】
【０００６】
本発明の布団カバーは、上生地と下生地で構成され、内部に布団を収納する布団カバーであって、前記上生地の両端部より内側に入った部分の長さ方向に各々スライドファスナーが設けられており、前記布団カバーの長さ方向の両端部は袋状に閉じられており、前記布団は、いずれか一方のスライドファスナー開放部から収納又は取り出しが可能であることを特徴とする。
【発明の効果】
【０００７】
本発明は、上生地の両端部より内側に入った部分の長さ方向に各々スライドファスナーが設けられており、布団カバーの長さ方向の両端部は袋状に閉じられており、布団は、いずれか一方のスライドファスナー開放部から収納又は取り出しが可能であることにより、スライドファスナーの部分に布団の側生地が突出しにくく、スライドファスナーが締め易い布団カバーを提供できる。すなわち、布団カバーの４辺にスライドファスナーは存在せず、上生地の両端部より内側に入った部分の長さ方向に各々スライドファスナーが設けられていることにより、スライドファスナーの部分に布団の側生地が突出しにくく、スライドファスナーが締め易い布団カバーとなる。また、布団はいずれか一方のスライドファスナー開放部から収納又は取り出しが可能であり、収納の際には他方のスライドファスナーを開放して引っ張り、挿入できるため、収納もしやすい。
【図面の簡単な説明】
【０００８】
【図１】図１は本発明の一実施形態における布団カバーの正面斜視図である。
【図２】図２は同、布団カバーの裏面斜視図である。
【図３】図３は同、布団カバーに布団を収納する説明図である。
【図４】図４は同、布団の斜視図である。
【図５】図５は同、図４のＩ−Ｉ線断面図である。
【発明を実施するための形態】
【０００９】
本発明は、上生地と下生地で構成され、内部に布団を収納する布団カバーであり、上生地の両端部より内側に入った部分の長さ方向に各々スライドファスナーが設けられており、布団カバーの長さ方向の両端部は袋状に閉じられている。すなわち、上生地の両端部より内側に入った部分の長さ方向にほぼ平行状にスライドファスナーを２本設け、４辺にはスライドファスナーは存在しない。これにより、スライドファスナーの部分に布団の側生地が突出しにくく、スライドファスナーが締め易い布団カバーとなる。また、この布団はいずれか一方のスライドファスナー開放部から収納又は取り出しが可能であり、収納の際には他方のスライドファスナーを開放して引っ張り、挿入できるため、収納もしやすい。
【００１０】
本発明の布団カバーは、各々スライドファスナーと両端部の角との間は、内部に挿入する布団のストッパー部が形成されている。これにより、布団を収納する際に布団の角が固定し易く、かつスライドファスナーも締め易く、また布団と布団カバーとを固定するための紐やフック片が存在しても、スライドファスナーが締め易い。
【００１１】
各々のスライドファスナー（ファスナーの中心部）は、布団カバーの両端部より２０〜１８０ｍｍ内側に入った部分に設けられているのが好ましい。さらに好ましくは３５〜１３０ｍｍ、特に好ましくは５０〜１００ｍｍ内側である。これにより、さらに布団を収納する際に布団の角が固定し易く、かつスライドファスナーも締め易く、また布団と布団カバーとを固定するための紐やフック片が存在してもスライドファスナーが締め易いものとなる。
【００１２】
布団カバーの内部には布団を固定するための固定手段を含むのが好ましい。布団を固定するための固定手段としては、紐、フックが固定されている布片等が好ましい。これにより、さらに布団と布団カバーが固定されやすくなる。
【００１３】
本発明の布団カバーは、いかなる布団にも適用できるが、掛け布団用であるのが好ましい。掛け布団には通常使用する掛け布団以外に、夏季に使用する肌布団などにも適用できる。また布団は、羽毛布団、合成繊維布団、これらを混合した布団などいかなる布団にも適用できる。一例として、本出願人が特許第5882514号公報、同5822289号公報、同5726629号公報等で提案している長繊維の合成繊維中綿を使用した掛け布団が適用できる。これらの布団は水による洗濯が可能であり、耐洗濯性も高いからである。布団カバーの生地素材は、通常の布団カバーに使用されている生地素材であればどのようなものでも使用できる。一例として、コットン、レーヨン、アクリル、ナイロン、ポリエステル、又はこれらの任意の組み合わせの混紡品等を使用できる。
【００１４】
以下図面を用いて説明する。各図面において、同一符号は同一部分を示す。図１は本発明の一実施形態における布団カバー１の正面斜視図である。この布団カバー１は、上生地２（外気側）の両端部４ａ，４ｂより内側に入った部分の長さ方向に各々スライドファスナー３ａ，３ｂが設けられている。各々のスライドファスナー３ａ，３ｂは、布団カバーの両端部４ａ，４ｂより３５〜１１０ｍｍ内側に入った部分に設けられているのが好ましい。すなわち、図１におけるＬ１，Ｌ２は３５〜１１０ｍｍ、特に５０〜１００ｍｍが好ましい。なお、上生地２（外気側）の両端部４ａ，４ｂには通常縫製ラインが形成される。当該縫製ラインより上側部分の生地を上生地といい、スライドファスナーを形成する場合は、通常上生地は複数のパーツからなる。図１においては、各々スライドファスナー３ａ，３ｂの間に位置する主部分を構成する生地に加えて、Ｌ１及びＬ２部分を構成する生地の３つの生地パーツから上生地が構成されている。布団カバー１の長さ方向の両端部は縫製により袋状に閉じられている。これにより、スライドファスナー３ａ，３ｂの部分に布団の側生地が突出しにくく、スライドファスナーが締め易い。すなわち、布団カバーの４辺にスライドファスナーは存在せず、上生地の両端部より内側に入った部分の長さ方向に各々スライドファスナーが設けられている。掛け布団７はいずれか一方のスライドファスナーの開放部から収納又は取り出しが可能であり、収納の際には他方のスライドファスナーを開放して掛け布団７を引っ張ることができ、収納しやすい。６は布団カバー１と掛け布団７を固定するためのフックであり、この例においては４角と長辺の中央部２か所の計６か所に設けている。図２は同、布団カバー１の裏面の斜視図であり、５は布団カバーの下生地（身体側）である。
【００１５】
図３は同、布団カバー１に掛け布団７を収納する説明図である。まずスライドファスナー３ａ，３ｂを開放し、いずれか一方のスライドファスナーの開放部から掛け布団７を挿入し、他方のスライドファスナーの開放部から掛け布団７の端を持って引っ張る。スライドファスナーと両端部の角との間は、内部に挿入する布団のストッパー部（袋部）が形成されているため、布団の角が固定し易く、かつスライドファスナーも締め易い。また布団と布団カバーとを固定するための紐やフック片が存在しても、スライドファスナーは締め易い。
【００１６】
図４は同、掛け布団７の斜視図、図５は同、図４のＩ−Ｉ線断面図である。掛け布団７は側地８ａ，８ｂと、側地内に充填されている長繊維中綿１３で構成される。掛け布団７の長さ方向にはキルト線９、幅方向にキルト線１０ａ−１０ｃが形成されている。キルト線は連続した縫製線でも良いし、和とじのように点縫いでつなげても良い。掛け布団７の幅方向の端部には、長繊維中綿１３の固定部１１ａ，１１ｂがある。この固定部１１ａ，１１ｂは縫製によって形成する。長繊維中綿１３は、花糸を芯糸で交絡させて一体化しており、花糸は開繊されてループ状繊維を形成している。これにより、嵩高い詰め物が得られる。また長繊維中綿１３の両端部は固定部１１ａ，１１ｂにより側地８ａ，８ｂと固定されているので、洗濯しても中綿は偏ることが無い。１２は布団カバー１に固定するためのフックである。本発明の布団カバーは、このような嵩高の長繊維中綿を用いた掛け布団を収納する際、特に有用である。なお、布団カバーのカバーという意味は、布団を収納可能であるという意味であり、実際販売される場合の呼び方に左右されるものではない。例えば本出願人が提案する特願２０１６−２１２４７４号に記載されるような、内部に布団を収納可能な中綿入り掛け布団も、本発明の布団カバーに含まれる。
【実施例】
【００１７】
以下実施例により、本発明をさらに具体的に説明する。なお本発明は下記の実施例に限定されるものではない。
【００１８】
（実施例１）
コットン１００％紡績糸使いの織物を使用して図１〜２に示す布団カバー１を作成した。この布団カバー１の寸法は、タテ２１２ｃｍ、ヨコ１５２ｃｍ、図１におけるＬ１，Ｌ２は各々８０ｍｍとした。この布団カバー１の中に、タテ２１０ｃｍ、ヨコ１５０ｃｍの側地内にポリエステル（ＰＥＴ）長繊維中綿を１４００ｇ充填した掛け布団７を、図３に示すように収納した。収納方法は、まずスライドファスナー３ａ，３ｂを開放し、いずれか一方のスライドファスナー開放部から掛け布団７を挿入し、他方のスライドファスナーの開放部から掛け布団７の端を持って引っ張り、フック６，１２で固定した。スライドファスナーと両端部の角との間は、内部に挿入する布団のストッパー部（袋部）が形成されているため、布団の角が固定し易く、かつスライドファスナーも締め易かった。また布団と布団カバーとを固定するための紐やフック片が存在しても、スライドファスナーは締め易かった。掛け布団７を取り出す際は、スライドファスナー３ａ，３ｂを開放し、フック６，１２を外し、いずれか一方のスライドファスナー開放部から掛け布団７を取り出した。掛け布団７の収納及び取り出し操作は容易であった。
【符号の説明】
【００１９】
１  布団カバー
２  上生地
３ａ，３ｂ  スライドファスナー
４ａ，４ｂ  布団カバー両端部
５  下生地
６，１２  フック
７  掛け布団
８ａ，８ｂ  側地
９，１０ａ−１０ｃ  キルト線
１１ａ，１１ｂ  長繊維中綿固定部
１３  長繊維中綿
【図１】
2019083851.tif 000003
【図２】
2019083851.tif 000004
【図３】
2019083851.tif 000005
【図４】
2019083851.tif 000006
【図５】
2019083851.tif 000007